(57)【要約】      （修正有）【課題】装置の更なる小型化を実現しつつ光ファイバの伝送損失を低減することができる光モジュールを提供する。【解決手段】光モジュールは、ケース本体２１０と、ケース本体２１０にヒンジを介して開閉可能に取り付けられ、ケース本体２１０を覆うように構成される本体カバーとを備える。ケース本体２１０は、単一光ファイバ及び光ファイバ群をケース本体２１０に固定する固定部材２１１と、単一光ファイバをケース本体２１０に固定する固定部材２１２，２１３と、側面部２１０ｂと離隔して設けられ、単一光ファイバの曲げ半径をＲ１５以上に規定する規定部材２１４，２１５と、ＰＬＣをケース本体２１０の所定位置に固定する固定部材２１６とを備える。【選択図】図３
2011175018.tif 000002
【特許請求の範囲】
【請求項１】
平面部及び前記平面部の外周縁部の全体に亘って設けられた側面部で構成されるケース本体と、前記ケース本体に回動可能に取り付けられた本体カバーとを備え、光部品及び前記光部品に接続された光ファイバを内部に収容する光モジュールであって、
前記側面部と離隔して設けられ、前記光ファイバの曲げ半径をＲ１５以上に規定する少なくとも２つの規定部材を有することを特徴とする光モジュール。
【請求項２】
前記規定部材は、前記平面部に略垂直に設けられた円柱部を有し、
前記円柱部の外周面が、前記光ファイバの外周面と当接することを特徴とする請求項１記載の光モジュール。
【請求項３】
前記平面部に形成され、前記光ファイバの配索位置を示すマーキング部を更に有することを特徴とする請求項１記載の光モジュール。
【請求項４】
前記光ファイバを前記ケース本体に固定する少なくとも１つの第１固定部材を更に有することを特徴とする請求項１記載の光モジュール。
【請求項５】
前記第１固定部材は、前記平面部に設けられた第１直立部と、前記第１直立部の上端に回動可能に設けられた棒状部と、前記第１直立部と対向するように前記平面部に設けられた第２直立部とを有し、
前記棒状部は、回動範囲の全閉位置にて前記第２直立部の上端に係止されることを特徴とする請求項４記載の光モジュール。
【請求項６】
前記本体カバーに設けられ、前記本体カバーが閉じられる際に前記光ファイバを前記ケース本体方向にガイドするガイド部材を更に有することを特徴とする請求項１記載の光モジュール。
【請求項７】
前記光部品を前記ケース本体の所定位置に固定する第２固定部材を更に有することを特徴とする請求項１記載の光モジュール。
【請求項８】
前記第２固定部材は、前記側面部と対向するように前記平面部に設けられた壁部と、前記壁部の一部を構成し、前記壁部よりも小さい厚さを有する一対の薄肉壁部と、前記一対の薄肉壁部の各々に設けられ、前記側面部側に向かって突出した一対の突起部と、前記側面部に設けられ、前記壁部側に向かって突出した少なくとも１つの他の突起部とを有し、
前記光部品が、前記一対の突起部及び前記他の突起部に挟持されることを特徴とする請求項７記載の光モジュール。
【請求項９】
前記光部品は、光の分岐、光スイッチ、及び波長合分波のいずれかを実現する光導波回路を有すること特徴とする請求項１記載の光モジュール。
【発明の詳細な説明】
【技術分野】
【０００１】
本発明は、光モジュールに関し、特に、受動光網（ＰＯＮ：Passive Optical Network）システム等のネットワークシステムにおいて通信局と加入者端末の間に配される光モジュールに関する。
【背景技術】
【０００２】
近年、インターネットの利用が普及し、ネットワーク経由で各種の情報サービスが提供することが可能となっていることから、通信ネットワークは社会インフラの重要な地位を占めている。一般家庭や、企業における各事業拠点からのインターネットアクセスの増加に伴って、これらの通信サイトとキャリアネットワークの通信局とを接続するアクセス回線に、更なる高速化と大容量化が必要となってきている。
【０００３】
インターネットなどの広域網に接続されるアクセス網の１つとして、複数の加入者端末が光ファイバを共用できる受動光網（ＰＯＮ）システムがある。このＰＯＮシステムは、それぞれがユーザ宅側に設置され、１台あるいは複数台のユーザ端末を収容する複数の加入者接続装置（ＯＮＵ：Optical Network Unit）と、これらのＯＮＵに光ファイバ網で接続された局側装置（ＯＬＴ：Optical Line Terminal）とで構成されている。ＯＬＴに接続された光ファイバは、各ＯＮＵに接続された支線光ファイバと光スプリッタ装置（光モジュール）で結合されており、光スプリッタ装置とＯＬＴとの間の光伝送路を複数のＯＮＵで共用することによって光ファイバの敷設コストの大幅な削減を可能にしている。
【０００４】
図８は、従来の光モジュール装置の構成を示す側面図である。尚、図８は、モジュール装置の側面パネルを取り除いた状態を示す。
【０００５】
図８に示すように、光モジュール装置８００は、入力ポート８０１と複数のマルチファイバ出力ポート８０２との間に結合された光ファイバ・スプリッタ・デバイス８１０を有する。光ファイバ・スプリッタ・デバイス８１０は、少なくとも１つの単一光ファイバとして構成されて入力ポート８０１に結合された第１結合部材８１１を有する。また、光ファイバ・スプリッタ・デバイス８１０は、マルチファイバ群として構成されて対応する出力ポート８０２ａ〜８０２ｄに結合された第２結合部材８１２を更に有する。この構成によれば、モジュール装置の小型化を実現しつつ、モジュール装置内での光ファイバの縺れの発生を低減することが可能となる（特許文献１）。
【先行技術文献】
【特許文献】
【０００６】
【特許文献１】特開２００６−２０９１１８号公報
【発明の概要】
【発明が解決しようとする課題】
【０００７】
特許文献１の光モジュール装置では、該装置の製造時において光ファイバ・スプリッタ・デバイスを内部に収容した状態で側面パネルを装置本体に装着する。近年の更なる装置の小型化の要望を考慮すると、光ファイバ・スプリッタ・デバイスの収容状態によっては光ファイバが許容曲げ半径未満となり、光ファイバの伝送損失が増大するという問題がある。
【０００８】
本発明の目的は、光モジュールの更なる小型化を実現しつつ光ファイバの伝送損失を低減することができる光モジュールを提供することにある。
【課題を解決するための手段】
【０００９】
上記目的を達成するために、本発明に係る光モジュールは、平面部及び前記平面部の外周縁部の全体に亘って設けられた側面部で構成されるケース本体と、前記ケース本体に回動可能に取り付けられた本体カバーとを備え、光部品及び前記光部品に接続された光ファイバを内部に収容する光モジュールであって、前記側面部と離隔して設けられ、前記光ファイバの曲げ半径をＲ１５以上に規定する少なくとも２つの規定部材を有することを特徴とする。
【００１０】
また、好ましくは、前記規定部材は、前記平面部に略垂直に設けられた円柱部を有し、前記円柱部の外周面が、前記光ファイバの外周面と当接する。
【００１１】
好ましくは、前記光モジュールは、前記平面部に形成され、前記光ファイバの配索位置を示すマーキング部を更に有する。
【００１２】
好ましくは、前記光ファイバを前記ケース本体に固定する少なくとも１つの第１固定部材を更に有する。
【００１３】
また、好ましくは、前記第１固定部材は、前記平面部に設けられた第１直立部と、前記第１直立部の上端に回動可能に設けられた棒状部と、前記第１直立部と対向するように前記平面部に設けられた第２直立部とを有し、前記棒状部は、回動範囲の全閉位置にて前記第２直立部の上端に係止される。
【００１４】
好ましくは、前記本体カバーに設けられ、前記本体カバーが閉じられる際に前記光ファイバを前記ケース本体方向にガイドするガイド部材を更に有する。
【００１５】
好ましくは、前記光部品を前記ケース本体の所定位置に固定する第２固定部材を更に有する。
【００１６】
また、好ましくは、前記第２固定部材は、前記側面部と対向するように前記平面部に設けられた壁部と、前記壁部の一部を構成し、前記壁部よりも小さい厚さを有する一対の薄肉壁部と、前記一対の薄肉壁部の各々に設けられ、前記側面部側に向かって突出した一対の突起部と、前記側面部に設けられ、前記壁部側に向かって突出した少なくとも１つの他の突起部とを有し、前記光部品が、前記一対の突起部及び前記他の突起部に挟持される。
【００１７】
好ましくは、前記光部品は、光の分岐、光スイッチ、及び波長合分波のいずれかを実現する光導波回路を有する。
【発明の効果】
【００１８】
本発明によれば、少なくとも２つの規定部材がケース本体の側面部と離隔して設けられ、光ファイバの曲げ半径がＲ１５以上に規定される。これにより、外部から振動や衝撃等の機械的応力を受けた場合であっても、ケース本体内で光ファイバが所定位置からずれることがなく、光ファイバが許容曲げ半径未満になることを防止することができる。したがって、光モジュールの更なる小型化を実現しつつ光ファイバの伝送損失を低減することができる。
【図面の簡単な説明】
【００１９】
【図１】本発明の実施の形態に係る光モジュールを備える光モジュール装置の構成を概略的に示す図である。
【図２】図１における光モジュールの構成を示す図であり、（ａ）は斜視図であり、（ｂ）は平面図である。
【図３】図２におけるケース本体の構成を示す平面図である。
【図４】図２における本体カバーの構成を示す平面図である。
【図５】図２の光モジュールの構成を示す斜視図である。
【図６】図２の光モジュールの各部材の構成を示す図であり、（ａ）は固定部材の斜視図、（ｂ）はガイド部材の斜視図、（ｃ）は本体カバーを閉じた状態におけるガイド部材と支持部材との位置関係を示す図である。
【図７】図３におけるＰＬＣを固定する固定部材の構成を示す拡大平面図である。
【図８】従来の光モジュール装置の構成を示す側面図である。
【発明を実施するための形態】
【００２０】
以下、本発明の実施の形態を図面を参照しながら詳細に説明する。
【００２１】
図１は、本発明の実施の形態に係る光モジュールを備える光モジュール装置の構成を概略的に示す図である。
【００２２】
図１において、光モジュール装置１は、外部から光信号が入力される入力ポート１０と、入力ポート１０の出力側に設けられ、該入力ポートと単一光ファイバ４０を介して接続された光モジュール２０と、該光モジュールと光ファイバ群５０（本実施の形態では、光ファイバ群は８本の光ファイバで構成される）を介して接続され、外部に複数の光信号を出力する出力ポート３０とを備える。入力ポート１０に入力された光信号は、単一光ファイバ４０を伝送して光モジュール２０に入力され、該光モジュール２０にて複数の光信号に分配される。分配された複数の光信号は、夫々光ファイバ群５０を伝送し、出力ポート３０から出力される。光モジュール２０は、後述するＰＬＣ及び該ＰＬＣに接続される光ファイバを収容している。
【００２３】
図２は、図１における光モジュールの構成を示す図であり、（ａ）は斜視図であり、（ｂ）は平面図である。
【００２４】
図２（ａ）及び（ｂ）において、光モジュール２０は、ケース本体２１０と、ケース本体２１０にヒンジ２９０を介して開閉可能に取り付けられ、ケース本体２１０を覆うように構成される本体カバー２３０と、単一光ファイバ２７０をケース本体２１０の内部に固定する固定部材２４０と、単一光ファイバ２７０の下流側に接続された平面光波回路（ＰＬＣ：Planar Lightwave Circuit）（光部品）２５０と、ＰＬＣ２５０の下流側に接続される光ファイバ群２８０と、光ファイバ群２８０をケース本体２１０の内部に固定する固定部材２６０とを備える。本実施の形態では、単一光ファイバ２７０は単一光ファイバ４０と一体成形されている１本の光ファイバであるが、説明の便宜上、単一光ファイバ４０と異なる符号を付している。同様に、光ファイバ群２８０の各ファイバは、光ファイバ群５０の各ファイバと一体成形される１本の光ファイバである。
【００２５】
この光モジュール２０では、単一光ファイバ４０及び光ファイバ群５０が、ケース本体２１０の同一側面部に接続される。具体的には、光モジュール２０は、ケース本体２１０に固定される単一光ファイバ２７０（単一光ファイバ４０）の軸方向と、ケース本体２１０に固定される光ファイバ群２８０（光ファイバ群５０）の軸方向とが略同一となるように構成される。
【００２６】
光モジュール２０の寸法は、１０３mm×４２mm×５．３mmである。ケース本体２１０及び本体カバー２３０は、例えばポリプロピレンなどの樹脂で一体成形される。
【００２７】
単一光ファイバ２７０の外径は、例えばφ３１〜３２であり、複数の光ファイバ群２８０の各ファイバの外径は、例えばφ３３〜３４である。
【００２８】
図３は、図２におけるケース本体２１０の構成を示す平面図である。
図３において、ケース本体２１０は、平面部２１０ａと、該平面部の外周縁部の全体に亘って略垂直に設けられた側面部２１０ｂで構成される。ケース本体２１０は、単一光ファイバ２７０及び光ファイバ群２８０をケース本体２１０に固定する（第１固定部材）固定部材２１１と、単一光ファイバ２７０をケース本体２１０に固定する固定部材（第１固定部材）２１２，２１３と、側面部２１０ｂと離隔して設けられ、単一光ファイバ２７０の曲げ半径をＲ１５以上に規定する規定部材２１４，２１５と、ＰＬＣ２５０をケース本体２１０の所定位置に固定する固定部材（第２固定部材）２１６と、側面部２１０ａに設けられ、本体カバー２３０に設けられた複数の平型凸状部（後述）とスナップ式で係合する複数の凹状部２１９と、後述する平型凸状部が凹状部２１９と係合する際に、該平型凸状部が光ファイバと干渉するのを防止する壁部２１７，２１８と、平面部２１０ａに設けられ、本体カバー２３０に設けられた複数の丸型凸状部（後述）と係合する複数の丸型凹状部２２０とを有する。
【００２９】
また、ケース本体２１０は、平面部２１０ａに形成されたマーキング部２２１，２２２を有しており、マーキング部２２１，２２２は、夫々正方形状、長方形状の模様で構成される。マーキング部２２１は、単一光ファイバ２７０及び光ファイバ群２８０がケース本体２１０に固定される際に、固定部材２１１，２１２間における該ファイバの配設（配索）位置を示すものである。また、マーキング部２２２は、単一光ファイバ２７０が固定される際に、規定部材２１５及び固定部材２１３間における該ファイバの配設位置を示すものであるとともに、光ファイバ群２８０が固定される際に固定部材２１１及び固定部材２６０間における該ファイバの配設位置を示すものである。尚、マーキング部２２１，２２２は、ケース本体２１０の成型時に平面部２１０ａ上に一体形成されるが、これに限るものではなく、シール部材の貼着や、塗布材のマスキング等によって形成されてもよい。
【００３０】
単一光ファイバ２７０は、平面矢視においてマーキング部２２１と単一光ファイバ２７０とが重なるように配設される（図２（ｂ））。光モジュール２０の製造時には、作業者は、マーキング部２２１を指標として、単一光ファイバ２７０がマーキング部２２１上を通るように該ファイバを配索する。これにより、固定部材２１１，２１２間における単一光ファイバ２７０が曲げ半径Ｒ１５（３０φ）以上で保持される。同様に、光ファイバ群２８０は、平面矢視においてマーキング部２２１と光ファイバ群２８０とが重なるように配設される。これにより、固定部材２１１，２１２間における光ファイバ群２８０の各光ファイバが曲げ半径Ｒ１５（３０φ）以上で保持される。
【００３１】
規定部材２１４，２１５は、単一光ファイバ２７０の配設経路において固定部材２１２，２１３間に配置される。規定部材２１４，２１５の構成の詳細については後述する。
【００３２】
図４は、図２における本体カバー２３０の構成を示す平面図である。
図４において、本体カバー２３０は、平面部２３０ａと、平面部２３０ａの外周縁部に略垂直に設けられた複数の平型凸状部２３３と、平面部２３０ａに設けられた複数の丸型凸状部２３２と、平面部２３０ａに設けられ、本体カバー２３０が閉じられる際に単一光ファイバ２７０を該ケース本体方向にガイドするガイド部材２３１ａ，２３１ｂとを有する。ガイド部材２３１ａ，２３１ｂの構成の詳細については後述する。
【００３３】
本体カバー２３０が閉じられる際には、複数の平型凸状部２３３が複数の凹状部２１９とスナップ結合される。これにより、本体カバー２３０をケース本体２１０に確実に固定することができ、また、本体カバー２３０の反りを抑制することができる。
【００３４】
図５は、図２の光モジュール２０の構成を示す側面図である。
図５に示すように、本体カバー２３０を開けた状態では、固定部材２１１，２１２，２１３の各部材の一部が側面部２１０ｂから突出している。本体カバー２３０を閉じると、各固定部材の突出した一部がケース本体側に折り込まれ、これにより光ファイバが固定されることになる。
【００３５】
図６は、図２の光モジュール２０の各部材の構成を示す図であり、（ａ）は固定部材２１３の斜視図、（ｂ）は規定部材２１４，２１５の斜視図、（ｃ）は本体カバー２３０を閉じた状態における規定部材２１４，２１５とガイド部材２３１ａ，２３１ｂとの位置関係を示す図である。
【００３６】
図６（ａ）において、固定部材２１３は、平面部２１０ａに設けられた断面略弓形の直立部（第１直立部）２１３ａと、直立部２１３ａの上端に回動可能に設けられた棒状部２１３ｂと、直立部２１３ａと対向するように平面部２１０ａに設けられた直立部（第２直立部）２１３ｃとを備える。直立部２１３ａ，２１３ｃは、所定間隔で一対をなして設けられ、これら２つの部材間に単一光ファイバを通すことにより、単一光ファイバ２７０をＰＬＣ２５０に導くガイド部材の役割を果たす。また、直立部２１３ｃの上端には棒状部２１３ｂと係合する凹部が形成されている。棒状部２１３ｂは、平面部２１０ａに対して略水平に位置したときに直立部２１３ｃの凹部と係合する。これにより、ケース本体２１０と本体カバー２３０の間に光ファイバを挟み込むのを防止することができる。
【００３７】
直立部２１３ａは、単一光ファイバ２７０の外周面と当接する面に曲面部（反り）を設けている。これにより、単一光ファイバ２７０の外周面を損傷することなく該光ファイバをガイドすることができる。
【００３８】
棒状部２１３ｂは、本体カバー２３０の閉方向の回動に伴って下方（平面部２１０ａに向かう方向）に押圧され、下方に回動する。そして、棒状部２１３ｂは、回動範囲の全閉位置にて直立部２１３ｃの凹部に係止される。これにより、単一光ファイバ２７０は、平面部２１０ａ，直立部２１３ａ，２１３ｃ及び棒状部２１３ｂによってケース本体２１０に固定される。尚、固定部材２１１は、直立部２１３ａがケース本体２１０の側面部２１０ｂと一体成形される以外は、その構成が固定部材２１３と同じであるため、その説明を省略する。また、固定部材２１２は、直立部２１３ａが固定部材２１６の後述する壁部と一体成形される以外は、その構成が固定部材２１３と同じであるため、その説明を省略する。
【００３９】
図６（ｂ）において、規定部材２１４は、平面部２１０ａに略垂直に設けられた円柱部２１４ｂと、平面部２１０ａに略垂直に設けられ、円柱部２１４ｂと一体的に形成される平板部２１４ａとを有する。同様に、規定部材２１５は、平面部２１０ａに略垂直に設けられた円柱部２１５ｂと、平面部２１０ａに略垂直に設けられ、円柱部２１５ｂと一体的に設けられた平板部２１５ａとを有する。円柱部２１５ａ，２１５ｂの高さは、例えば３．５ｍｍであり、その外径は、例えばφ１．０ｍｍである。
【００４０】
円柱部２１５ｂは、単一光ファイバ２７０を支持する際に、その外周面が単一光ファイバ２７０の外周面と当接する。これにより、単一光ファイバ２７０の外周面を損傷することなく該光ファイバを支持することができる。
【００４１】
規定部材２１４，２１５は、該２つのガイド部材間に配設される単一光ファイバ２７０の曲げ半径をＲ１５（３０φ）以上に規定するように配置される。すなわち、本実施の形態では、単一光ファイバの配線を点で規定する規定部材２１４，２１５を設け、これら２つの規定部材の各円柱部側を単一光ファイバ２７０が通過することにより、単一光ファイバ２７０が規定のＲ（Ｒ１５）以上になることが保証される。この構成により、単一光ファイバ２７０に余分な応力が発生せず、伝送損失が低く、断線の可能性が低い配線を実現することができる。また、単一光ファイバ２７０の配線を点で規定するので、ケース本体２１０内部の空間が確保され、配線の自由度を向上させることができる。
【００４２】
また、単一光ファイバ２７０は、平面矢視においてマーキング部２２２と単一光ファイバ２７０とが重ならないように配設される（図２（ｂ））。具体的には、光モジュール２０の製造時には、作業者は、マーキング部２２２を指標として、単一光ファイバ２７０をマーキング部２２２と側面部２１０ｂとの間に配索する。これにより、規定部材２１５からＰＬＣ２５０まで配設される単一光ファイバ２７０が曲げ半径Ｒ１５（３０φ）以上で保持される。
【００４３】
図６（ｃ）に示すように、ガイド部材２３１ａ，２３１ｂは、本体カバー２３０を閉じた状態において、単一光ファイバ２７０の軸方向に対して略垂直に配置されている。ガイド部材２３１ａの長さ、幅、高さは、夫々１．０ｍｍ、１．０ｍｍ、１０ｍｍであり、ガイド部材２３１ｂの長さ、幅、高さは、夫々１．０ｍｍ、１．０ｍｍ、７．０ｍｍである。本実施の形態では、ガイド部材２３１ａの長手方向の寸法がガイド部材２３１ｂよりも長くなるように設計されている。
【００４４】
本体カバー２３０を閉じた状態では、ガイド部材２３１ａ，２３１ｂは下方に突出しているため、規定部材２１４，２１５間に配設された単一光ファイバ２７０は、平面部２１０ａの方向にガイドされる。これにより、ケース本体２１０が外部から振動等を受けた場合であっても単一光ファイバ２７０が規定部材２１４，２１５の各円柱部から離間せず、単一光ファイバ２７０を確実に支持することができる。
【００４５】
図７は、図３におけるＰＬＣ２５０を固定する固定部材２１６の構成を示す拡大平面図である。
図７において、固定部材２１６は、ケース本体２１０の側面部２１０ｂと対向するように平面部２１０ａに設けられた壁部２１６ａと、壁部２１６ａの一部を構成し、壁部２１６ａよりも小さい厚さを有する一対の薄肉壁部２１６ｂと、一対の薄肉壁部２１６ｂの各々に設けられ、平面部２１０ａ側に向かって突出した一対の突起部２１６ｃと、側面部２１０ｂに設けられ、壁部２１６ａ側に向かって突出した一対の突起部２１６ｄとを有する。
【００４６】
突起部２１６ｃ，２１６ｄの先端部間の寸法は、ＰＬＣ２５０の幅寸法よりも小さくなるように設計されている。ＰＬＣ２５０が側面部２１０ｂと壁部２１６ａとの間に挿入されると、一対の薄肉壁部２１６ｂが撓んで、一対の突起部２１６ｃ及び一対の突起部２１６ｄに挟持される。これによりＰＬＣ２５０がケース本体２１０に確実に固定される。壁部２１６ａの高さは側面部２１０ｂの高さより低く設計されており、ＰＬＣ２５０の側面が露出している。これにより、ＰＬＣ２５０をケース本体２１０から容易に着脱することができる。
【００４７】
上述したように、本実施の形態によれば、規定部材２１４，２１５がケース本体２１０の側面部２１０ｂと離隔して設けられ、単一光ファイバ２７０の曲げ半径がＲ１５以上に規定される。これにより、外部から振動や衝撃等の機械的応力を受けた場合であっても、ケース本体２１０内で単一光ファイバ２７０が所定位置からずれることがなく、単一光ファイバ２７０が許容曲げ半径未満になることを防止することができる。また、規定部材２１４，２１５がケース本体２１０の側面部２１０ｂと離隔して設けられるので、単一光ファイバ２７０が側面部２１０ｂに乗り上げてケース本体２１０と本体カバー２３０の間に挟み込まれるのを防止することができる。また、単一光ファイバ２７０及び光ファイバ群２８０の配索位置を示すマーキング部を有しているので、単一光ファイバ２７０及び光ファイバ群２８０を曲げ半径Ｒ１５以上で保持することができる。したがって、光モジュールの更なる小型化を実現しつつ光ファイバの伝送損失を低減することができる。
【００４８】
本実施の形態では、マーキング部２２１，２２２は、夫々正方形状、長方形状の模様で構成されるが、これに限るものではなく、作業者の指標となるものであれば如何なる形状の模様で構成されてもよい。
【００４９】
また、本実施の形態では、ケース本体２１０は、規定部材２１４，２１５を有するが、これに限るものではなく、少なくとも２つの規定部材を有していてもよい。
【００５０】
また、本実施の形態では、ケース本体２１０は、単一光ファイバ２７０及び／又は光ファイバ群２８０をケース本体に固定する固定部材（２１１，２１２，２１３）を３つ有しているが、これに限るものではなく、少なくとも１つの固定部材を有するものであってもよい。
【００５１】
また、本実施の形態では、光部品はＰＬＣであるが、これに限るものではなく、光の分岐、光スイッチ、及び波長合分波のいずれかを実現する光導波回路を有するものであってもよい。
【符号の説明】
【００５２】
１  光モジュール装置
１０  入力ポート
２０  光モジュール
３０  出力ポート
４０，２７０  単一光ファイバ
５０，２８０  光ファイバ群
２１０  ケース本体
２１０ａ  平面部
２１０ｂ  側面部
２３０  本体カバー
２１１，２１２，２１３，２１６  固定部材
２１４，２１５  規定部材
２３１ａ，２３１ｂ  ガイド部材
２５０  平面光波回路（ＰＬＣ）
【図１】
2011175018.tif 000003
【図２】
2011175018.tif 000004
【図３】
2011175018.tif 000005
【図４】
2011175018.tif 000006
【図５】
2011175018.tif 000007
【図６】
2011175018.tif 000008
【図７】
2011175018.tif 000009
【図８】
2011175018.tif 000010